(57)【特許請求の範囲】
【請求項１】
偏向回路出力のＨＤに直列に抵抗を挿入したパルスと映像期間調整用パルスとのＯＲ回路を有し、前記ＯＲ回路の出力をブランキングパルス（Ｃ．ＢＬＫ１）とし、Ｃ．ＢＬＫ１の立ち上がりがフライバックパルスの立ち上がりより遅くならずに、映像信号を画面上のリンギングがなくなる位置まで可変させることにより映像信号の立ち上がり部に重なるリンギングノイズを無信号部に移動させることを特徴とするリンギング防止回路。
【発明の詳細な説明】
【０００１】
【発明の属する技術分野】
本発明は、マルチスキャン電子ビューファインダーの画面に発生するリンギング防止回路に関するものである。
【０００２】
【従来の技術】
従来、マルチスキャン電子ビューファインダーは、ＣＲＴ画面に映す映像のブランキング幅を決定するために、ブランキングパルス（Ｃ．ＢＬＫ１）を作成し、各入力周波数に追従させている。図１は従来技術による入力周波数の低い信号時の各パルスのタイミングチャートを示す。入力周波数の低い信号は、無信号部の幅（８）と入力周波数に追従するＣ．ＢＬＫ１の幅（９）が広くなっている。その為、偏向回路出力のＨＤ（１０）を基に作成しているフライバックパルス（１１）により発生するリンギングノイズ（１２）は映像信号（７）に重なることはなく、画面上にリンギングは発生しない。図２は従来技術による入力周波数の高い信号時の各パルスのタイミングチャートを示す。入力周波数の高い信号は、無信号部の幅（２）と入力周波数に追従するＣ．ＢＬＫ１の幅（３）が狭くなっている。その為、偏向回路出力のＨＤ（４）を基に作成しているフライバックパルス（５）により発生するリンギングノイズ（６）が映像信号（１）に重なり、画面上にリンギングを発生させる場合がある。
【０００３】
図３は従来のマルチスキャン電子ビューファインダーのＣ．ＢＬＫ１作成回路図を示す。同期分離回路（１３）出力のＨＤを基に、映像期間調整回路（１４）出力パルスとＣ．ＢＬＫ作成回路（１５）の出力とのＯＲ回路（１６）によって、図２のＣ．ＢＬＫ１（３）を作成している。
【０００４】
【発明が解決しようとする課題】
図２に示す映像期間（１）の位相を可変させ、画面上のリンギング発生原因であるリンギングノイズ（６）を映像期間（１）の立ち上がりに重ねない様にする必要がある。従来技術にて、画面上のリンギングがなくなる位置まで、図２の映像信号（１）を可変させると、映像信号（１）に追従して移動するＣ．ＢＬＫ１（３）の立ち上がりがフライバックパルス（５）の立ち上がりよりも遅くなるため、画面右側に輝線が発生する。輝線を無くすために、Ｃ．ＢＬＫ１（３）の立ち上がりを図３の映像期間調整回路（１４）にてフライバックパルスの立ち上がりよりも早く、または同位置にすると、低温時に図２のＣ．ＢＬＫ１（３）の立ち上がりが映像期間（１）の立ち下がりに重なり、画切れが生じてしまう。
【０００５】
本発明が解決しようとする課題は、画面上のリンギングがなくなる位置まで、図２の映像信号（１）を可変させた時、輝線が発生しない様、Ｃ．ＢＬＫ１（３）の立ち上がりをフライバックパルス（５）の立ち上がりよりも早く、または同位置にし、温度特性が安定しているＣ．ＢＬＫ１を作成する点にある。
【０００６】
【課題を解決するための手段】
偏向回路出力のＨＤに直列に抵抗を挿入したパルスと映像期間調整用パルスとのＯＲ回路を有し、前記ＯＲ回路の出力をブランキングパルス（Ｃ．ＢＬＫ１）とし、調整可能である映像信号の立ち下がり部とＣ．ＢＬＫ１の立ち上がり部との幅を可変させ、映像信号の立ち上がり部に重なるリンギングノイズを無信号部に移動させるリンギング防止回路とする。
【０００７】
【発明の実施の形態】
図４は本発明の一実施形態を示すリンギング防止回路図であり、図５は本発明によるリンギング防止回路による各パルスのタイミングチャートを示す。本発明は、偏向回路出力のＨＤに直列に抵抗を挿入したパルスと映像期間調整用パルスとのＯＲ回路を有し、Ｃ．ＢＬＫ１を作成する。偏向回路（１７）出力のＨＤを直列に抵抗（１８）を介し、ＯＲ回路（２２）の一端に接続するパルスは、ＨＤパルス（２５）である。前記ＯＲ回路（２２）の他端に入力する映像期間調整用パルスのＯＲ回路（２１）の出力は、１６：９映像期間調整回路（１９）出力パルスとＣ．ＢＬＫ作成回路（２０）出力パルスの合成パルスで、Ｃ．ＢＬＫ１６：９パルス（２６）である。ＯＲ回路（２２）の出力はＨＤパルス（２５）とＣ．ＢＬＫ１６：９パルス（２６）の和となり、ＣＲＴ画面に映す映像のブランキング幅を決定するＣ．ＢＬＫ１（２４）となる。リンギング防止として、映像信号（２３）を画面上のリンギングがなくなる位置まで可変させる。ＯＲ回路（２１）の出力のＣ．ＢＬＫ１６：９パルス（２６）は映像信号（２３）に追従し移動するが、本発明でＯＲ回路を挿入したことにより、ＨＤパルス（２５）が映像信号（２３）に追従して移動しないため、Ｃ．ＢＬＫ１（２４）の立ち上がりは映像信号（２３）に追従して移動しない。その為、Ｃ．ＢＬＫ１（２４）の立ち上がりはフライバックパルス（２７）の立ち上がりより遅くならず、輝線が発生する事はない。さらに、温度特性が安定していた為、映像信号（２３）の立ち下がり部とＣ．ＢＬＫ１（２４）の立ち上がり部との幅を従来より狭くし、映像信号（２３）の立ち上がり部に重なるリンギングノイズ（２８）を無信号部（２９）に移動させ、画面上のリンギングを防止する。
【０００８】
【発明の効果】
本発明に関わるマルチスキャン電子ビューファインダーを使用するときは、画面上のリンギングは発生しない。また、ブランキングパルスの立ち上がりの温度特性が良い為、画面が切れることもない。したがって、マルチスキャン電子ビューファインダーの使用者は、快適に撮影等行うことができる。
【図面の簡単な説明】
【図１】従来技術による入力周波数の低い信号時の各パルスのタイミングチャート
【図２】従来技術による入力周波数の高い信号時の各パルスのタイミングチャート
【図３】従来のマルチスキャン電子ビューファインダーのＣ．ＢＬＫ１作成回路図
【図４】本発明の一実施形態を示すリンギング防止回路図
【図５】本発明によるリンギング防止回路による各パルスのタイミングチャート
【符号の説明】
１    映像信号
２    無信号部の幅
３    Ｃ．ＢＬＫ１の幅
４    偏向回路出力のＨＤ
５    フライバックパルス
６    リンギングノイズ
７    映像信号
８    無信号部の幅
９    Ｃ．ＢＬＫ１の幅
１０    偏向回路出力のＨＤ
１１    フライバックパルス
１２    リンギングノイズ
１３    同期分離回路
１４    映像期間調整回路
１５    Ｃ．ＢＬＫ作成回路
１６    ＯＲ回路
１７    偏向回路
１８    抵抗
１９    映像期間調整回路
２０    Ｃ．ＢＬＫ作成回路
２１    ＯＲ回路
２２    ＯＲ回路
２３    映像信号
２４    Ｃ．ＢＬＫ１
２５    ＨＤパルス
２６    ＢＬＫ１６：９パルス
２７    フライバックパルス
２８    リンギングノイズ
２９    無信号部
【図１】
0003931057.tif 000002
【図２】
0003931057.tif 000003
【図３】
0003931057.tif 000004
【図４】
0003931057.tif 000005
【図５】
0003931057.tif 000006